(57)【要約】 【課題】  一方の基板側に行電極対と列電極の双方が配置されるＰＤＰにおいて、サステイン放電開始電圧の低下とアドレス放電の誤放電を防止する。【解決手段】  バス電極Ｘ１ｂ，Ｙ１ｂと透明電極Ｘ１ａ，Ｙ１ａによって構成される行電極Ｘ１，Ｙ１、および、列電極本体部Ｄ１ａと列電極放電部Ｄ１ｂによって構成される列電極Ｄ１の双方が前面ガラス基板１０側に配置され、列電極本体部Ｄ１ａが、前面ガラス基板１０の背面上に配置されて第１誘電体層１１によって被覆され、バス電極Ｘ１ｂ，Ｙ１ｂが第１誘電体層１１上に配置されて、透明電極Ｘ１ａ，Ｙ１ａと列電極放電部Ｄ１ｂが第１誘電体層１１よりも厚さが薄い第２誘電体層１２によって被覆されている。【選択図】    図５
2006286507.tif 000002
【特許請求の範囲】
【請求項１】
放電空間を介して互いに対向する一対の基板と、この一対の基板のうちの一方の基板側に配置されて行方向に延びるとともに列方向に並設された複数の行電極対および列方向に延びるとともに行方向に並設された複数の列電極を備え、行電極対と列電極によってそれぞれ放電が行われる複数の単位発光領域が放電空間内にマトリクス状に形成されたプラズマディスプレイパネルにおいて、
前記行電極対を構成する各行電極が、行方向に延びる行電極本体部と、この行電極本体部から対になっている相手の行電極側に単位発光領域ごとに列方向に突出して互いに放電ギャップを介して対向される行電極放電部とを有し、
前記列電極が、列方向に延びる列電極本体部と、この列電極本体部から単位発光領域の中央部に対向する位置に向かって延びて先端部分がそれぞれ行電極放電部に近接する位置に位置される列電極放電部とを有し、
前記列電極本体部が、一方の基板の単位発光領域に対向する面に対して基板の厚さ方向において近接した位置に配置されて、第１誘電体層によって被覆され、行電極本体部の少なくとも列電極本体部と交差する部分が、第１誘電体層を挟んで列電極本体部よりも基板の厚さ方向において単位発光領域に近接した位置に配置されている、
ことを特徴とするプラズマディスプレイパネル。
【請求項２】
前記行電極放電部と列電極放電部が、一方の基板と平行なほぼ同一平面内に配置されて、基板の厚さ方向における厚さが列電極本体部を被覆する第１誘電体層よりも薄い第２誘電体層によって被覆されている請求項１に記載のプラズマディスプレイパネル。
【請求項３】
前記行電極放電部と列電極本体部，列電極放電部が、一方の基板の単位発光領域に対向する面に対して基板の厚さ方向において近接した第１平面内に配置され、行電極本体部の少なくとも列電極本体部と交差する部分が、第１平面よりも基板の厚さ方向において単位発光領域に近接した第２平面内に配置されている請求項２に記載のプラズマディスプレイパネル。
【請求項４】
前記列電極本体部が、一方の基板の単位発光領域に対向する面に対して基板の厚さ方向において近接した第１平面内に配置され、行電極本体部と行電極放電部，列電極放電部が、第１平面よりも基板の厚さ方向において単位発光領域に近接した第２平面内に配置されている請求項２に記載のプラズマディスプレイパネル。
【請求項５】
前記列電極本体部を被覆する第１誘電体層が、行方向において隣接する単位発光領域の間の部分に対向する位置において列方向に延びる縦層部分と、列方向において隣接する単位発光領域の間の部分に対向する位置において行方向に延びる横層部分とを有する略格子形状に成形され、この第１誘電体層の横層部分上に行電極本体部が配置され、一方の基板の単位発光領域に対向する面のほぼ全面に亘って第２誘電体層が形成されて、この第２誘電体層によって行電極本体部および行電極放電部，列電極放電部が被覆されている請求項３に記載のプラズマディスプレイパネル。
【請求項６】
前記第２誘電体層の第１誘電体層の縦層部分と横層部分に囲まれた領域に対向する部分の単位発光領域に面する側に、一方の基板側に凹んだ凹所が形成されている請求項５に記載のプラズマディスプレイパネル。
【請求項７】
前記行電極放電部の基端部の行電極本体部に接続される端部部分が、第１誘電体層の横層部分によって被覆され、この第１誘電体層の横層部分に形成されたスルーホール内に配置された電極接続部によって、行電極放電部の基端部の端部部分と行電極本体部とが接続されている請求項５に記載のプラズマディスプレイパネル。
【請求項８】
前記行電極本体部と行電極放電部の基端部が、行電極本体部から第１誘電体層の横層部分の内側面に沿ってほぼ基板の厚さ方向に延びる電極接続部によって接続されている請求項５に記載のプラズマディスプレイパネル。
【請求項９】
前記列電極本体部を被覆する第１誘電体層が、行方向において隣接する単位発光領域の間の部分に対向する位置において列方向に延びる帯形状に成形され、行電極本体部が、この第１誘電体層上に位置される部分と、第１誘電体層の側面に沿って基板の厚さ方向に延びる部分と、隣接する第１誘電体層の間の部分において行電極放電部と同じ平面内に形成されて行電極放電部に接続される部分とを有し、一方の基板の単位発光領域に対向する面のほぼ全面に亘って第２誘電体層が形成されて、この第２誘電体層によって行電極本体部および行電極放電部，列電極放電部が被覆されている請求項３に記載のプラズマディスプレイパネル。
【請求項１０】
前記列電極本体部を被覆する第１誘電体層が、一方の基板の単位発光領域に対向する面のほぼ全面に亘って形成され、この第１誘電体層上に行電極本体部および行電極放電部，列電極放電部が配置されて、第１誘電体層に形成されたスルーホール内に配置された電極接続部によって列電極本体部と列電極放電部が接続され、第１誘電体層上にほぼ全面に亘って第２誘電体層が形成されて、この第２誘電体層によって行電極本体部および行電極放電部，列電極放電部が被覆されている請求項４に記載のプラズマディスプレイパネル。
【請求項１１】
前記一方の基板が、パネル面を構成する前面基板である請求項１に記載のプラズマディスプレイパネル。
【発明の詳細な説明】
【技術分野】
【０００１】
この発明は、プラズマディスプレイパネルのパネル構造に関する。
【背景技術】
【０００２】
一般に、前面ガラス基板側に行電極対が形成され背面ガラス基板側に列電極が形成された従来の三電極型プラズマディスプレイパネル（以下、ＰＤＰという）は、前面ガラス基板と背面ガラス基板の間において行電極対と列電極の位置関係に高い精度が要求される等の理由によって製造コストが高くなり、さらに、行電極と列電極の間の放電ギャップが大きくなってこの間で発生されるアドレス放電の放電開始電圧が大きくなってしまうという問題を有している。
【０００３】
このため、近年、製造コストの低廉化を図るとともにアドレス放電開始電圧を低下させるために、行電極対と列電極の双方を一方のガラス基板側に形成する構成のＰＤＰが提案されている。
【０００４】
図１および２は、前面ガラス基板側に行電極対と列電極の双方が形成された従来のＰＤＰを示しており、図１はこの従来のＰＤＰの正面図であり、図２はこのＰＤＰの前面ガラス基板の背面側の構成を示す斜視図である。
【０００５】
この図１および２において、ＰＤＰは、前面ガラス基板１の背面上に、それぞれ行電極ＸとＹが対になって構成される行方向に延びる複数の行電極対（Ｘ，Ｙ）が、列方向に並設されている。
【０００６】
前面ガラス基板１の背面上には、さらに、列方向に帯状に延びる第１誘電体層２が行方向に等間隔に並設された状態で複数形成されていて、この第１誘電体層２によって、行電極ＸおよびＹの第１誘電体層２と交差する部分がそれぞれ被覆している。
【０００７】
この第１誘電体層２の背面上に、それぞれ、列電極Ｄの列方向に延びる列電極本体部Ｄａが形成されており、この列電極本体部Ｄａには、その側部から行方向に延びる列電極放電部Ｄｂが、それぞれ行電極対（Ｘ，Ｙ）に対応する位置毎に形成されている。
【０００８】
この列電極放電部Ｄｂは、それぞれ、列電極本体部Ｄａから第１誘電体層２の背面に沿って行方向に延びた後、前面ガラス基板１側に屈曲して第１誘電体層２の側面に沿って延び、次に、前面ガラス基板１と平行向きに再度屈曲して、前面ガラス基板１の背面に沿って行方向に延びて、先端部分が行電極Ｙと所要の間隔を開けて平行に対向する位置に位置されている。
【０００９】
前面ガラス基板１の背面には、図示しない第２誘電体層が形成されていて、この第２誘電体層によって行電極対（Ｘ，Ｙ）および列電極Ｄを被覆されている。
【００１０】
そして、この前面ガラス基板１に対して図示しない背面ガラス基板が対向されて、その間に放電空間が形成され、この放電空間内に、列電極Ｄの列電極放電部Ｄｂと行電極Ｘ，Ｙのそれぞれ対応する部分に対向される放電セルＣがそれぞれ形成されて、マトリクス状に配置されている（例えば、特許文献１参照）。
【００１１】
このような構成のＰＤＰは、行電極対（Ｘ，Ｙ）と列電極Ｄの双方が前面ガラス基板１側に形成されることによって、製造コストの低廉化が図られるとともにアドレス放電の放電開始電圧を下げることが可能になるが、以下のような新たな問題が発生する。
【００１２】
すなわち、この従来のＰＤＰにおいては、前面ガラス基板１の背面上に行電極対（Ｘ，Ｙ）が形成され、この行電極対（Ｘ，Ｙ）よりも放電空間側に列電極Ｄの列電極本体部Ｄａが配置された構造になっているために、行電極ＸとＹに交互にサステイン・パルスが印加されてこの行電極Ｘ，Ｙ間にサステイン放電が発生される際に、列電極Ｄの列電極本体部Ｄａと行電極Ｘ，Ｙ間に形成される電界が強くなり、行電極ＸとＹ間には強い電界が形成され難くなり、このために、サステイン放電電圧が上昇して、消費電力が増大してしまうという問題が生じる。
【００１３】
さらに、この従来のＰＤＰにおいては、図３に示されるように、行電極Ｙと列電極Ｄの列電極放電部Ｄｂとの間でアドレス放電ｄを発生させるために行電極Ｙに走査パルスが印加され列電極Ｄにデータ・パルスが印加される際に、前面ガラス基板１に対して行電極Ｘ，Ｙよりも放電空間側に位置されている列電極Ｄの列電極本体部Ｄａと行電極Ｘ，Ｙとのそれぞれの間での放電開始電圧が、行電極Ｙと列電極放電部Ｄｂとの間での放電開始電圧とほぼ同じになり、このために、列電極本体部Ｄａと行電極ＸまたはＹ間に誤放電ｅｄが発生する虞があり、アドレス・マージンが悪化するという問題が生じる。
【００１４】
【特許文献１】特開平１０−３２１１４５号公報
【発明の開示】
【発明が解決しようとする課題】
【００１５】
この発明は、上記のような従来の一方の基板側に行電極対と列電極の双方が配置されたＰＤＰにおいて発生する問題点を解決することをその技術的課題の一つとしている。
【課題を解決するための手段】
【００１６】
この発明によるＰＤＰは、上記目的を達成するために、放電空間を介して互いに対向する一対の基板と、この一対の基板のうちの一方の基板側に配置されて行方向に延びるとともに列方向に並設された複数の行電極対および列方向に延びるとともに行方向に並設された複数の列電極を備え、行電極対と列電極によってそれぞれ放電が行われる複数の単位発光領域が放電空間内にマトリクス状に形成されたプラズマディスプレイパネルにおいて、前記行電極対を構成する各行電極が、行方向に延びる行電極本体部と、この行電極本体部から対になっている相手の行電極側に単位発光領域ごとに列方向に突出して互いに放電ギャップを介して対向される行電極放電部とを有し、前記列電極が、列方向に延びる列電極本体部と、この列電極本体部から単位発光領域の中央部に対向する位置に向かって延びて先端部分がそれぞれ行電極放電部に近接する位置に位置される列電極放電部とを有し、前記列電極本体部が、一方の基板の単位発光領域に対向する面に対して基板の厚さ方向において近接した位置に配置されて、第１誘電体層によって被覆され、行電極本体部の少なくとも列電極本体部と交差する部分が、第１誘電体層を挟んで列電極本体部よりも基板の厚さ方向において単位発光領域に近接した位置に配置されていることを特徴としている。
【発明を実施するための最良の形態】
【００１７】
この発明によるＰＤＰは、前面ガラス基板側に行電極対と列電極の双方が配置されるＰＤＰにおいて、各行電極が、行方向に延びるバス電極とこのバス電極から放電セルごとに列方向に突出して放電を発生させる透明電極とによって構成され、列電極が、列方向に延びる列電極本体部とこの列電極本体部から放電セルごとに行電極の透明電極に近接する位置に向かって延びる列電極放電部とによって構成され、列電極本体部が、前面ガラス基板の背面上に配置されて、第１誘電体層によって被覆され、行電極のバス電極の少なくとも列電極本体部と交差する部分が第１誘電体層上に形成され、行電極の透明電極および列電極放電部が同一平面内に配置されて第１誘電体層よりも厚さの薄い第２誘電体層によって被覆されているＰＤＰをその最良の実施形態としている。
【００１８】
上記実施形態のＰＤＰは、行電極のバス電極が列電極本体部よりも放電セル側に配置され、透明電極および列電極放電部が第２誘電体層のみによって被覆されており、さらに、行電極のバス電極と列電極本体部との間に介在される第１誘電体層の膜厚が第２誘電体層よりも厚くなっていることによって、行電極対を構成する行電極に交互にサステイン・パルスが印加されてサステイン放電が発生される際に、放電ギャップを介して対向する透明電極間に強い電界が形成され、互いに交差する部分の行電極のバス電極と列電極本体部間に形成される電界は弱くなるので、サステイン放電の放電開始電圧が小さくなって、ＰＤＰの消費電力が低減され、さらに、バス電極と列電極本体部との交差部分に放電が発生し難いので、行電極に走査パルスが印加され列電極にデータ・パルスが印加されて行電極の透明電極と列電極放電部間においてアドレス放電が発生される際に、バス電極と列電極本体部の交差部分に誤放電が発生するのが防止される。
【実施例１】
【００１９】
図４ないし６は、この発明によるＰＤＰの実施形態における第１実施例を示しており、図４はこの第１実施例におけるＰＤＰを模式的に示す正面図、図５は図４のＶ１−Ｖ１線における断面図，図６は同例の電極が配置された基板を背面側から見た斜視図である。
【００２０】
この図４ないし６において、表示面を構成する前面ガラス基板１０の背面上に、列電極Ｄ１を構成する帯状の列電極本体部Ｄ１ａが、複数本、それぞれ列方向に延びるとともに互いに行方向に所要の間隔を開けた状態で並設されており、さらに、各列電極本体部Ｄ１ａには、列電極本体部Ｄ１ａの図１において右側の側部の等間隔位置からそれぞれ行方向に突出する複数の帯状の列電極放電部Ｄ１ｂが、一体的に形成されている。
【００２１】
前面ガラス基板１０の背面上には、さらに、行電極Ｘ１を構成するＩＴＯ等からなる略Ｔ字形状の複数の透明電極Ｘ１ａが、それぞれ、図１において各列電極Ｄ１の列電極放電部Ｄ１ｂの上方位置に位置されて行方向および列方向に等間隔に配置されるように形成されており、行電極Ｙ１を構成するＩＴＯ等からなる略Ｔ字形状の複数の透明電極Ｙ１ａが、それぞれ、各列電極Ｄ１の列電極放電部Ｄ１ｂの図１において下方位置に位置されるように行方向および列方向に等間隔に配置されている。
【００２２】
そして、透明電極Ｘ１ａとＹ１ａが列電極放電部Ｄ１ｂを挟んで上下に位置されて互いに対になっているとともに、各対毎に、それぞれの幅広の頂部が、列電極放電部Ｄ１ｂを挟んで放電ギャップｇ１を介して互いに対向されている。
【００２３】
前面ガラス基板１０の背面上には、略格子形状の第１誘電体層１１が形成されて、透明電極Ｘ１ａ，Ｙ１ａおよび列電極Ｄ１が部分的に被覆されている。
【００２４】
すなわち、この第１誘電体層１１は、行方向に等間隔に配列されて互いに隣接している透明電極Ｘ１ａの間および透明電極Ｙ１ａの間の位置において列方向に延びる縦層１１Ａと、列方向に交互に配置されて背中合わせに位置している透明電極Ｘ１ａとＹ１ａの間（それぞれ列電極放電部Ｄ１ｂを挟んで対になっている相手の透明電極と反対側に位置して幅狭の基端部同士が対向されている透明電極の間）の位置において行方向に延びる横層１１Ｂとによって略格子形状に成形されており、縦層１１Ａによって、列電極Ｄ１のうちの列電極本体部Ｄ１ａが被覆され、横層１１Ｂによって、各透明電極Ｘ１ａおよびＹ１ａの幅狭の基端部の先端部分がそれぞれ被覆されている。
【００２５】
そして、この第１誘電体層１１の横層１１Ｂの各透明電極Ｘ１ａ，Ｙ１ａの基端部の先端部分に対向する位置に、それぞれ横層１１Ｂの表と裏の面を連通するスルーホール１１Ｂａが形成されて、行方向に直線状に配列されている。
【００２６】
この第１誘電体層１１の各横層１１Ｂ上のスルーホール１１Ｂａの列に対向する位置に、行方向に帯状に延びるバス電極Ｘ１ｂとＹ１ｂがそれぞれ形成されている。
【００２７】
すなわち、バス電極Ｘ１ｂは、透明電極Ｘ１ａの基端部の先端部分に対向されているスルーホール１１Ｂａの列上に形成されていて、このバス電極Ｘ１ｂのスルーホール１１Ｂａに対向される部分が、このスルーホール１１Ｂａを介して対向されている透明電極Ｘ１ａの基端部の先端部分と、スルーホール１１Ｂａ内に形成された電極接続部Ｘ１ｃによって互いに接続されている。
【００２８】
バス電極Ｙ１ｂは、透明電極Ｙ１ａの基端部の先端部分に対向されているスルーホール１１Ｂａの列上に形成されていて、このバス電極Ｙ１ｂのスルーホール１１Ｂａに対向される部分が、このスルーホール１１Ｂａを介して対向されている透明電極Ｙ１ａの基端部の先端部分と、スルーホール１１Ｂａ内に形成された電極接続部Ｙ１ｃによって互いに接続されている。
【００２９】
行電極Ｘ１は、上記のように、バス電極Ｘ１ｂと、このバス電極Ｘ１ｂに電極接続部Ｘ１ｃによって接続されてバス電極Ｘ１ｂに沿って行方向に等間隔に配置された複数の透明電極Ｘ１ａとによって構成され、行電極Ｙ１は、バス電極Ｙ１ｂと、このバス電極Ｙ１ｂに電極接続部Ｙ１ｃによって接続されてバス電極Ｙ１ｂに沿って行方向に等間隔に配置された複数の透明電極Ｙ１ａとによって構成されている。
【００３０】
そして、列電極Ｄ１の列電極放電部Ｄ１ｂの両側に位置する行電極Ｘ１とＹ１が対になって行電極対（Ｘ１，Ｙ１）を構成し、各行電極対（Ｘ１，Ｙ１）において、前述したように、列電極放電部Ｄ１ｂを挟んで互いに対になっている透明電極Ｘ１ａとＹ１ａが、放電ギャップｇ１を介して互いに対向されている。
【００３１】
さらに、前面ガラス基板１０の背面側には、第１誘電体層１１の背面上およびこの第１誘電体層１１の間の前面ガラス基板１０の背面上に、ＭｇＯ等の高γ誘電材料によって第２誘電体層１２が形成されていて、この第２誘電体層１２によって、列電極Ｄ１の列電極放電部Ｄ１ｂおよび行電極Ｘ１，Ｙ１の透明電極Ｘ１ａ，Ｙ１ａおよびバス電極Ｘ１ｂ，Ｙ１ｂが被覆されている（なお、図６には、第２誘電体層１２の図示は省略されている）。
【００３２】
この第２誘電体層１２の膜厚は、第１誘電体層１１の膜厚よりも薄くなるように設定されている。
【００３３】
そして、第２誘電体層１２の背面側には、略格子状の第１誘電体層１１の縦層１１Ａおよび横層１１Ｂによって囲まれて列電極放電部Ｄ１ｂとその両側に位置する透明電極Ｘ１ａ，Ｙ１ａに対向する部分に、それぞれ、方形の凹所１２ａが形成されている。
【００３４】
一方、前面ガラス基板１０と所要の間隔を開けて対向される背面ガラス基板１３の表示側の面上には、白色の誘電材料によって形成された白色誘電体層１４が形成されている。
【００３５】
さらに、この白色誘電体層１４上に、隔壁１５が形成されている。
【００３６】
この隔壁１５は、第１誘電体層１１の各縦層１１Ａに対向する位置において列方向に延びる図示しない縦壁部と、各横層１１Ｂに対向する位置において行方向に延びる図示しない横壁部１５Ａとによって略格子状に成形されている（なお、隔壁１５は、縦壁部１５Ａのみによって構成されていても良い）。
【００３７】
この隔壁１５によって、前面ガラス基板１０と背面ガラス基板１３との間に形成される放電空間が、各行電極対（Ｘ１，Ｙ１）において放電ギャップｇ１を介して対向されて対になった透明電極Ｘ１ａとＹ１ａ、および、この透明電極Ｘ１ａとＹ１ａの間に位置される列電極放電部Ｄｂに対向する部分毎に区画されて、それぞれ方形の放電セルＣ１が形成されている。
【００３８】
列電極Ｄ１の列電極本体部Ｄ１ａは、隔壁１５の縦壁部に対向されている。
【００３９】
そして、放電セルＣ１に面する隔壁１５の縦壁部１５Ａおよび横壁部の側面と白色誘電体層１４の表面には、これらの五つの面を全て覆うように蛍光体層１６が形成されており、この蛍光体層１６の色は、各放電セルＣ１毎に赤，緑，青の三原色に色分けされて、この三原色が行方向に順に並ぶように配列されている。
【００４０】
前面ガラス基板１０と背面ガラス基板１３の間の放電空間内には、キセノン・ガスを含む放電ガスが封入されている。
【００４１】
このＰＤＰにおける画像形成は、以下のようにして行われる。
すなわち、一斉リセット期間の後のアドレス期間において、行電極Ｙ１に走査パルスが印加されるとともに、列電極Ｄ１の列電極本体部Ｄ１ａに映像信号の表示データに対応したデータ・パルスが印加されて、この列電極Ｄ１の列電極放電部Ｄ１ｂと走査パルスが印加された行電極Ｙ１の透明電極Ｙ１ａとの間で選択的にアドレス放電が発生され、これによって、パネル面に、第１誘電体層１１および第２誘電体層１２に壁電荷が形成されている放電セル（発光セル）Ｃ１と、壁電荷が形成されていない放電セル（非発光セル）Ｃ１とが分布される。
【００４２】
この後、次のサステイン放電期間において、行電極Ｘ１とＹ１に交互にサステイン・パルスが印加され、第１誘電体層１１および第２誘電体層１２に壁電荷が形成されている発光セルＣ１内において、行電極Ｘ１とＹ１の放電ギャップｇ１を介して互いに対向されている透明電極Ｘ１ａとＹ１ａの間でサステイン放電が発生され、放電空間内に封入されている放電ガス中のキセノン・ガスから真空紫外線が放射される。
【００４３】
これによって、発光セルＣ１内のそれぞれ赤，緑，青に色分けされている蛍光体層１６が真空紫外線によって励起されて発光することにより、マトリクス表示による画像の形成が行われる。
【００４４】
上記の前面ガラス基板１０側に行電極対（Ｘ１，Ｙ１）と列電極Ｄ１の双方が形成されているＰＤＰは、行電極Ｘ１，Ｙ１のバス電極Ｘ１ｂ，Ｙ１ｂが列電極Ｄ１よりも放電空間側に配置され、透明電極Ｘ１ａ，Ｙ１ａおよび列電極放電部Ｄ１ｂが第２誘電体層１２のみによって被覆されており、さらに、この第２誘電体層１２の膜厚よりも、バス電極Ｘ１ｂ，Ｙ１ｂと列電極本体部Ｄ１ａの間に介在される第１誘電体層１１の膜厚が厚くなっていることによって、サステイン放電期間において行電極Ｘ１とＹ１にサステイン・パルスが印加された際に、透明電極Ｘ１ａとＹ１ａ間に強い電界が形成され、バス電極Ｘ１ｂ，Ｙ１ｂと列電極本体部Ｄ１ａ間に形成される電界は弱くなるので、透明電極Ｘ１ａとＹ１ａ間において発生するサステイン放電の放電開始電圧が小さくなって、ＰＤＰの消費電力が低減される。
【００４５】
さらに、上記ＰＤＰは、バス電極Ｘ１ｂ，Ｙ１ｂと列電極本体部Ｄ１ａの間に、透明電極Ｘ１ａ，Ｙ１ａおよび列電極放電部Ｄ１ｂを被覆する第２誘電体層１２よりも膜厚が厚い第１誘電体層１１が介在されていることによって、バス電極Ｘ１ｂ，Ｙ１ｂと列電極本体部Ｄ１ａとの交差部分に放電が発生し難いので、アドレス放電の発生時に、バス電極Ｘ１ｂ，Ｙ１ｂと列電極本体部Ｄ１ａの交差部分に従来のＰＤＰのような誤放電が発生するのが防止される。
【実施例２】
【００４６】
図７ないし９は、この発明によるＰＤＰの実施形態における第２実施例を示しており、図７はこの第２実施例におけるＰＤＰを模式的に示す正面図、図８は図７のＶ２−Ｖ２線における断面図，図９は同例の電極が配置された基板を背面側から見た斜視図である。
【００４７】
この第２実施例におけるＰＤＰは、図７ないし９において、第１実施例の場合と同様の形態で、行電極Ｘ２，Ｙ２のそれぞれの透明電極Ｘ２ａ，Ｙ２ａが、列電極Ｄ１とともに前面ガラス基板１０の背面上に形成され、バス電極Ｘ２ｂ，Ｙ２ｂが、列電極Ｄ１の列電極本体部Ｄ１ａと行電極Ｘ１，Ｙ１のそれぞれの透明電極Ｘ１ａ，Ｙ１ａの基端部の先端部分を被覆する第１誘電体層２１の横層２１Ｂ上に形成されている。
【００４８】
そして、この行電極Ｘ２，Ｙ２の透明電極Ｘ２ａ，Ｙ２ａとバス電極Ｘ２ｂ，Ｙ２ｂとは、それぞれ、第１誘電体層２１の横層２１Ｂの内側の側面に沿って延びるように形成された帯状の電極接続部Ｘ２ｃ，Ｙ２ｃによって接続されている。
【００４９】
ＰＤＰの他の部分の構成は、第１実施例の場合とほぼ同様であり、図７ないし９において、図４ないし６の構成と同様の部分についてはこの図４ないし６と同一の符号が付されている。
【００５０】
このＰＤＰは、第１実施例のＰＤＰと同様の駆動によって、画像形成を行う。
そして、この第２実施例におけるＰＤＰも、第１実施例のＰＤＰの場合と同様に、前面ガラス基板１０側に行電極対（Ｘ２，Ｙ２）と列電極Ｄ１の双方が形成され、行電極Ｘ２，Ｙ２のバス電極Ｘ２ｂ，Ｙ２ｂが列電極Ｄ１よりも放電空間側に配置され、透明電極Ｘ２ａ，Ｙ２ａおよび列電極放電部Ｄ１ｂが第２誘電体層１２のみによって被覆されており、さらに、この第２誘電体層１２の膜厚よりも、バス電極Ｘ２ｂ，Ｙ２ｂと列電極本体部Ｄ１ａの間に介在される第１誘電体層２１の膜厚が厚くなっていることによって、サステイン放電期間において行電極Ｘ２とＹ２にサステイン・パルスが印加された際に、透明電極Ｘ２ａとＹ２ａ間に強い電界が形成され、バス電極Ｘ２ｂ，Ｙ２ｂと列電極本体部Ｄ１ａ間に形成される電界は弱くなるので、透明電極Ｘ２ａとＹ２ａ間において発生するサステイン放電の放電開始電圧が小さくなって、ＰＤＰの消費電力が低減される。
【００５１】
さらに、上記ＰＤＰは、バス電極Ｘ２ｂ，Ｙ２ｂと列電極本体部Ｄ１ａの間に、透明電極Ｘ２ａ，Ｙ２ａおよび列電極放電部Ｄ１ｂを被覆する第２誘電体層１２よりも膜厚が厚い第１誘電体層２１が介在されていることによって、バス電極Ｘ２ｂ，Ｙ２ｂと列電極本体部Ｄ１ａとの交差部分に放電が発生し難いので、アドレス放電の発生時に、バス電極Ｘ２ｂ，Ｙ２ｂと列電極本体部Ｄ１ａの交差部分に従来のＰＤＰのような誤放電が発生するのが防止される。
【実施例３】
【００５２】
図１０ないし１２は、この発明によるＰＤＰの実施形態における第３実施例を示しており、図１０はこの第３実施例におけるＰＤＰを模式的に示す正面図、図１１は図１０のＶ３−Ｖ３線における断面図，図１２は同例の電極が配置された基板を背面側から見た斜視図である。
【００５３】
この第３実施例におけるＰＤＰは、図１０ないし１２において、第１実施例の場合と同様の形態で、行電極Ｘ３，Ｙ３のそれぞれの透明電極Ｘ３ａ，Ｙ３ａが列電極Ｄ１とともに前面ガラス基板１０の背面上に形成されている。
【００５４】
前面ガラス基板１０の背面には、さらに、行方向に等間隔に配列されて互いに隣接している透明電極Ｘ３ａの間および透明電極Ｙ３ａの間の位置において、それぞれ列方向に延びる帯状の第１誘電体層３１が形成されていて、この第１誘電体層３１によって、列電極Ｄ１の列電極本体部Ｄ１ａが被覆されている。
【００５５】
そして、行電極Ｘ３のバス電極Ｘ３ｂは、隣接する第１誘電体層３１の間の部分の前面ガラス基板１０の背面上を、透明電極Ｘ３ａの基端部の先端部分に対向する位置において行方向に延びる第１部分Ｘ３ｂ１と、第１誘電体層３１の背面上の第１部分Ｘ３ｂ１と直線状に並ぶ位置に形成された第２部分Ｘ３ｂ２と、第１誘電体層３１の側面に形成されて第１部分Ｘ３ｂ１と第２部分Ｘ３ｂ２とを接続する第３部分Ｘ３ｂ３とによって構成されている。
【００５６】
さらに、前面ガラス基板１０の背面側には、第１誘電体層３１の背面およびこの第１誘電体層３１の間の前面ガラス基板１０の背面上に、ＭｇＯ等の高γ誘電材料によって第２誘電体層３２が形成されていて、この第２誘電体層３２によって、列電極Ｄ１の列電極放電部Ｄ１ｂおよび行電極Ｘ３，Ｙ３の透明電極Ｘ３ａ，Ｙ３ａおよびバス電極Ｘ３ｂ，Ｙ３ｂが被覆されている。
【００５７】
ＰＤＰの他の部分の構成は、第１実施例の場合とほぼ同様であり、図１０ないし１２において、図４ないし６の構成と同様の部分についてはこの図４ないし６と同一の符号が付されている。
【００５８】
このＰＤＰは、第１実施例のＰＤＰと同様の駆動によって、画像形成を行う。
そして、この第３実施例におけるＰＤＰも、第１実施例のＰＤＰの場合と同様に、前面ガラス基板１０側に行電極対（Ｘ３，Ｙ３）と列電極Ｄ１の双方が形成され、行電極Ｘ３，Ｙ３のバス電極Ｘ３ｂ，Ｙ３ｂが列電極Ｄ１よりも放電空間側に配置され、透明電極Ｘ３ａ，Ｙ３ａおよび列電極放電部Ｄ１ｂが第２誘電体層３２のみによって被覆されており、さらに、この第２誘電体層３２の膜厚よりも、バス電極Ｘ３ｂ，Ｙ３ｂと列電極本体部Ｄ１ａの間に介在される第１誘電体層３１の膜厚が厚くなっていることによって、サステイン放電期間において行電極Ｘ３とＹ３にサステイン・パルスが印加された際に、透明電極Ｘ３ａとＹ３ａ間に強い電界が形成され、バス電極Ｘ３ｂ，Ｙ３ｂと列電極本体部Ｄ１ａ間に形成される電界は弱くなるので、透明電極Ｘ３ａとＹ３ａ間において発生するサステイン放電の放電開始電圧が小さくなって、ＰＤＰの消費電力が低減される。
【００５９】
さらに、上記ＰＤＰは、バス電極Ｘ３ｂ，Ｙ３ｂと列電極本体部Ｄ１ａの間に、透明電極Ｘ３ａ，Ｙ３ａおよび列電極放電部Ｄ１ｂを被覆する第２誘電体層３２よりも膜厚が厚い第１誘電体層３１が介在されていることによって、バス電極Ｘ３ｂ，Ｙ３ｂと列電極本体部Ｄ１ａとの交差部分に放電が発生し難いので、アドレス放電の発生時に、バス電極Ｘ３ｂ，Ｙ３ｂと列電極本体部Ｄ１ａの交差部分に従来のＰＤＰのような誤放電が発生するのが防止される。
【実施例４】
【００６０】
図１３ないし１５は、この発明によるＰＤＰの実施形態における第４実施例を示しており、図１３はこの第４実施例におけるＰＤＰを模式的に示す正面図、図１４は図１３のＶ４−Ｖ４線における断面図，図１５は同例の電極が配置された基板を背面側から見た斜視図である。
【００６１】
この図１３ないし１５において、表示面を構成する前面ガラス基板１０の背面上に、帯状の列電極本体部Ｄ４ａが、複数本、それぞれ列方向に延びるとともに互いに行方向に所要の間隔を開けた状態で並設されている。
【００６２】
前面ガラス基板１０の背面上には、さらに、第１誘電体層４１が形成されていて、この第１誘電体層４１によって列電極本体部Ｄ４ａが被覆されている。
【００６３】
この第１誘電体層４１には、各列電極本体部Ｄ４ａにそれぞれ対向する部分の等間隔位置に、列方向に直線状に配列される複数のスルーホール４１ａが形成されて、列方向に配列されている。
【００６４】
そして、第１誘電体層４１の背面上には、基端側がそれぞれスルーホール４１ａに対向する位置に位置されて、このスルーホール４１ａに対向する位置から図１０において右方向に行方向に沿って延びて、先端部が、隣接する列電極本体部Ｄ４ａの間のほぼ中間位置に対向される位置に位置される列電極放電部Ｄ４ｂが、各列電極本体部Ｄ４ａ毎に複数本ずつ等間隔に形成されている。
【００６５】
この列電極本体部Ｄ４ａと各列電極放電部Ｄ４ｂは、それぞれ、スルーホール４１ａ内に形成された電極接続部Ｄ４ｃによって互いに接続されている。
【００６６】
以上のようにして、前面ガラス基板１０の背面上に形成された列電極本体部Ｄ４ａと、第１誘電体層４１の背面上に形成されて列電極本体部Ｄ４ａに沿って列方向に等間隔に並設された複数の列電極放電部Ｄ４ｂと、この各列電極放電部Ｄ４ｂをそれぞれ列電極本体部Ｄ４ａに対して接続する電極接続部Ｄ４ｃとによって、列電極Ｄ４が構成されている。
【００６７】
第１誘電体層４１の背面上には、さらに、ＩＴＯ等からなる略Ｔ字形状の透明電極Ｘ４ａが、各列電極放電部Ｄ４ｂ毎に、図１５において列電極放電部Ｄ４ｂの上方位置で隣接する列電極本体部Ｄ４ａの間のほぼ中間位置に対向する位置にそれぞれ形成されて、この透明電極Ｘ４ａの幅広の頂辺が、列電極放電部Ｄ４ｂに対して所要の間隔を開けて平行に対向されている。
【００６８】
そして、第１誘電体層４１の背面上の行方向に配列される透明電極Ｘ４ａのそれぞれの幅狭の基端部の先端部分に対向する位置に、行方向に帯状に延びるバス電極Ｘ４ｂが形成されて、各透明電極Ｘ４ａに接続されている。
【００６９】
以上の様にして、バス電極Ｘ４ｂと、このバス電極Ｘ４ｂの等間隔位置からそれぞれ列電極放電部Ｄ４ｂに向かって突出する複数の列電極放電部Ｄ４ｂとによって、行電極Ｘ４が構成されている。
【００７０】
同様に、第１誘電体層４１の背面上には、ＩＴＯ等からなる略Ｔ字形状の透明電極Ｙ４ａが、各列電極放電部Ｄ４ｂ毎に、図１５において列電極放電部Ｄ４ｂの下方位置で隣接する列電極本体部Ｄ４ａの間のほぼ中間位置に対向する位置にそれぞれ形成されて、この透明電極Ｙ４ａの幅広の頂辺が、列電極放電部Ｄ４ｂに対して所要の間隔を開けて平行に対向されている。
【００７１】
そして、第１誘電体層４１の背面上の行方向に配列される透明電極Ｙ４ａのそれぞれの幅狭の基端部の先端部分に対向する位置に、行方向に帯状に延びるバス電極Ｙ４ｂが形成されて、各透明電極Ｙ４ａに接続されている。
【００７２】
以上の様にして、バス電極Ｙ４ｂと、このバス電極Ｙ４ｂの等間隔位置からそれぞれ列電極放電部Ｄ４ｂに向かって突出する複数の列電極放電部Ｄ４ｂとによって、行電極Ｙ４が構成されている。
【００７３】
この行電極Ｘ４とＹ４は、列電極Ｄ４の列電極放電部Ｄ４ｂを挟んで両側に位置する行電極Ｘ４とＹ４が互いに対になって行電極対（Ｘ４，Ｙ４）を構成しており、列電極放電部Ｄ４ｂを挟んで幅広の頂辺同士が対向される透明電極Ｘ４ａとＹ４ａがそれぞれ対になって、その間に放電ギャップｇ４が形成されている。
【００７４】
さらに、第１誘電体層４１の背面上には、ＭｇＯ等の高γ誘電材料によって第２誘電体層４２が形成されていて、この第２誘電体層４２によって、列電極Ｄ４の列電極放電部Ｄ４ｂおよび行電極対（Ｘ４，Ｙ４）が被覆されている。
【００７５】
ＰＤＰの他の部分の構成は、第１実施例の場合とほぼ同様であり、図１３ないし１５において、図４ないし６の構成と同様の部分についてはこの図４ないし６と同一の符号が付されている。
【００７６】
このＰＤＰは、第１実施例のＰＤＰと同様の駆動によって、画像形成を行う。
【００７７】
そして、この第４実施例におけるＰＤＰも、第１実施例のＰＤＰの場合と同様に、前面ガラス基板１０側に行電極対（Ｘ４，Ｙ４）と列電極Ｄ４の双方が形成され、行電極Ｘ４，Ｙ４が列電極Ｄ４の列電極本体部Ｄ４ａよりも放電空間側に配置され、透明電極Ｘ４ａ，Ｙ４ａと列電極放電部Ｄ４ｂが列電極本体部Ｄ４ａを被覆している第１誘電体層４１上の同一平面内に位置されて第２誘電体層４２のみによって被覆されていることによって、サステイン放電期間において行電極Ｘ４とＹ４にサステイン・パルスが印加された際に、透明電極Ｘ４ａとＹ４ａ間に強い電界が形成され、バス電極Ｘ４ｂ，Ｙ４ｂと列電極本体部Ｄ４ａ間に形成される電界は弱くなるので、透明電極Ｘ４ａとＹ４ａ間において発生するサステイン放電の放電開始電圧が小さくなって、ＰＤＰの消費電力が低減される。
【００７８】
さらに、上記ＰＤＰは、行電極Ｘ４，Ｙ４と列電極放電部Ｄ４ｂが列電極本体部Ｄ４ａに対して放電空間側に位置されて、列電極本体部Ｄ４ａを被覆する誘電体層の厚さ（第１誘電体層４１と第２誘電体層４２の厚さ）が、透明電極Ｘ４ａ，Ｙ４ａおよび列電極放電部Ｄ４ｂを被覆する誘電体層の厚さ（第２誘電体層４２の厚さ）よりも厚くなっているので、アドレス放電の発生時に、バス電極Ｘ４ｂ，Ｙ４ｂと列電極本体部Ｄ４ａの交差部分に放電が発生し難くなって、この部分に従来のＰＤＰのような誤放電が発生するのが防止される。
【図面の簡単な説明】
【００７９】
【図１】ＰＤＰの従来例を示す正面図である。
【図２】同従来例を示す斜視図である。
【図３】同従来例における誤放電の発生位置を示す斜視図である。
【図４】この発明によるＰＤＰの実施形態における第１実施例を示す正面図である。
【図５】図４のＶ１−Ｖ１線における断面図である。
【図６】同実施例の前面ガラス基板側の構成を示す斜視図である。
【図７】この発明によるＰＤＰの実施形態における第２実施例を示す正面図である。
【図８】図７のＶ２−Ｖ２線における断面図である。
【図９】同実施例の前面ガラス基板側の構成を示す斜視図である。
【図１０】この発明によるＰＤＰの実施形態における第３実施例を示す正面図である。
【図１１】図１０のＶ３−Ｖ３線における断面図である。
【図１２】同実施例の前面ガラス基板側の構成を示す斜視図である。
【図１３】この発明によるＰＤＰの実施形態における第４実施例を示す正面図である。
【図１４】図１３のＶ４−Ｖ４線における断面図である。
【図１５】同実施例の前面ガラス基板側の構成を示す斜視図である。
【符号の説明】
【００８０】
１０                    …前面ガラス基板（一方の基板，前面基板）
１１，２１，３１，４１  …第１誘電体層
１１Ａ                  …縦層（縦層部分）
１１Ｂ，２１Ｂ          …横層（横層部分）
１１Ｂａ，４１ａ        …スルーホール
１２，３２，４２        …第２誘電体層
１２ａ                  …凹所
Ｃ１                    …放電セル（単位発光領域）
Ｄ１，Ｄ４              …列電極
Ｄ１ａ，Ｄ４ａ          …列電極本体部
Ｄ１ｂ，Ｄ４ｂ          …列電極放電部
Ｄ４ｃ                  …電極接続部
Ｘ１，Ｙ１，Ｘ２，Ｙ２，Ｘ３，Ｙ３，Ｘ４，Ｙ４  
…行電極
Ｘ１ａ，Ｙ１ａ，Ｘ２ａ，Ｙ２ａ，Ｘ３ａ，Ｙ３ａ，Ｘ４ａ，Ｙ４ａ
…透明電極（行電極放電部）
Ｘ１ｂ，Ｙ１ｂ，Ｘ２ｂ，Ｙ２ｂ，Ｘ３ｂ，Ｙ３ｂ，Ｘ４ｂ，Ｙ４ｂ
…バス電極（行電極本体部）
Ｘ１ｃ，Ｙ１ｃ，Ｘ２ｃ，Ｙ２ｃ
…電極接続部
Ｘ３ｂ１，Ｙ３ｂ１      …第１部分
Ｘ３ｂ２，Ｙ３ｂ２      …第２部分
Ｘ３ｂ３，Ｙ３ｂ３      …第３部分
ｇ１，ｇ４              …放電ギャップ
【図１】
2006286507.tif 000003
【図２】
2006286507.tif 000004
【図３】
2006286507.tif 000005
【図４】
2006286507.tif 000006
【図５】
2006286507.tif 000007
【図６】
2006286507.tif 000008
【図７】
2006286507.tif 000009
【図８】
2006286507.tif 000010
【図９】
2006286507.tif 000011
【図１０】
2006286507.tif 000012
【図１１】
2006286507.tif 000013
【図１２】
2006286507.tif 000014
【図１３】
2006286507.tif 000015
【図１４】
2006286507.tif 000016
【図１５】
2006286507.tif 000017